(57)【要約】【課題】柔軟性を有する合成樹脂からなる豊胸用美容具を型崩れを防止するとともに、豊胸用美容具を取り外しやすく収納且つ保管することができ、極めて良好な保存状態にすることができる豊胸用美容具収納ケースを提供すること。【解決手段】ほぼ碗形状で柔軟な合成樹脂性の豊胸用美容具１２を支持する球面状の膨出支持部Ａ1 ，Ａ1 が形成された収納本体Ａと、該収納本体Ａに対して開閉自在とした蓋体Ｂとからなること。前記膨出支持部Ａ1 ，Ａ1 には、前記豊胸用美容具１２と非接触且つ通気性を有する支持手段５が具備されること。【選択図】      図１
2004208736.tif 000002
【特許請求の範囲】
【請求項１】
ほぼ碗形状で柔軟な合成樹脂性の豊胸用美容具を支持する球面状の膨出支持部が形成された収納本体と、該収納本体に対して開閉自在とした蓋体とからなり、前記膨出支持部には、前記豊胸用美容具と、一部が非接触で且つ通気性を有する支持手段が具備されてなることを特徴とする豊胸用美容具収納ケース。
【請求項２】
請求項１において、前記支持手段は前記膨出支持部に通気孔が形成されてなることを特徴とする豊胸用美容具収納ケース。
【請求項３】
請求項２において、前記通気孔は膨出支持部の頂部に形成されてなることを特徴とする豊胸用美容具収納ケース。
【請求項４】
請求項２において、前記通気孔は膨出支持部に多数形成されてなることを特徴とする豊胸用美容具収納ケース。
【請求項５】
請求項１において、前記支持手段は前記膨出支持部の表面に多数の小突起群が形成されてなることを特徴とする豊胸用美容具収納ケース。
【請求項６】
請求項１において、前記支持手段は前記膨出支持部の表面に線形状に隆起した小膨出条が形成されてなることを特徴とする豊胸用美容具収納ケース。
【請求項７】
請求項１において、前記支持手段は前記膨出支持部の表面に溝条が形成され、且つ該溝条は前記豊胸用美容具の膨出支持部における接触領域の外部に延出されてなることを特徴とする豊胸用美容具収納ケース。
【請求項８】
請求項１，２，３，４，５，６又は７において、前記収納本体又は蓋体の少なくともいずれか一方には、貫通孔が形成されてなることを特徴とする豊胸用美容具収納ケース。
【請求項９】
請求項１，２，３，４，５，６，７又は８において、前記収納本体には、小物を固定する保持部が具備されてなることを特徴とする豊胸用美容具収納ケース。
【発明の詳細な説明】
【０００１】
【発明の属する技術分野】
本発明は、柔軟性を有する合成樹脂からなる豊胸用美容具を型崩れを防止するとともに、豊胸用美容具を取り外しやすく収納且つ保管することができ、極めて良好な保存状態にすることができる豊胸用美容具収納ケースに関する。
【０００２】
【従来の技術】
近年、美容に対する関心が高まっており、これにともなって、種々の美容器具が開発，製造されている。そのような身体に装着する美容器具として女性用の豊胸用美容具も次々と開発されている。これらの多くは、通常人体の皮膚に直接的に装着使用するものであり、それゆえに人体に対して馴染みやすいものとするために、柔軟性を有する合成樹脂により形成されているものが多い。たとえば、ビニル，人工又は天然ゴムで、具体的にはナイロン，シリコン等があり、さらに多くの新素材により、人体に適したものにより形成されている。このような豊胸用美容具を収納，保管するためのケースは、豊胸用美容具を構成する素材を良好な状態に維持する役目をなさなくてはならない。ところで、従来より下記特許文献１等に見られるような、美容又は理容器具の収納ケース，ボックス，箱等が存在している。これらの多くは、器具の形状に合わせて配置し易い領域を設け、器具を収納するものである。
【０００３】
【特許文献１】
実開平２−１９３１２号
【０００４】
【発明が解決しようとする課題】
上述した豊胸用美容具を収納，保管するケースとして、上記特許文献１に開示されている化粧品ケースのようなものを適当に変更して使用するものであった。ところが、上記の豊胸用美容具は、初期には基本形状が変形しても復元するものであるが、長期に亘って不安定な状態で保管しておくと、形が崩れてしまうことになり、そのために正しく使用することができなくなるおそれがある。
【０００５】
さらに、豊胸用美容具の素材が柔軟性を有するものであるため、豊胸用美容具を単に合成樹脂ケースに長期に亘って収納しておくと、その豊胸用美容具と収納ケースとの接触面が密着状となり、極めて取り外しにくくなるし、無理に豊胸用美容具を引き離そうとすると、その豊胸用美容具の肉の一部がケースとの密着した接触面によって、切除されてしまうことも十分にあり得るものである。
【０００６】
さらに、この種の柔軟な合成樹脂性の美容器具は、長期に亘り乾燥状態にしておくと、ひび割れ等が生じてしまうこともあるため、適度に保湿状態で保存される必要がある。しかし、豊胸用美容具のように柔軟性を有する合成樹脂から形成されたものを収納，保管するためのケースとして、特に好適なものが存在していないのが現状である。本発明の目的は、上記豊胸用美容具を収納且つ保管するのに好適なものとし、型崩れを防止するとともに、豊胸用美容具を取り外しやすく収納且つ保管することができ、極めて良好な保存状態にすることにある。
【０００７】
【課題を解決するための手段】
そこで、発明者は、上記課題を解決すべく、鋭意，研究を重ねた結果、本発明を、ほぼ碗形状で柔軟な合成樹脂性の豊胸用美容具を支持する球面状の膨出支持部が形成された収納本体と、該収納本体に対して開閉自在とした蓋体とからなり、前記膨出支持部には、前記豊胸用美容具と、一部が非接触で且つ通気性を有する支持手段が具備されてなる豊胸用美容具収納ケースとしたことにより、豊胸用美容具を収納且つ保管するのに好適なものとし、型崩れを防止するとともに、豊胸用美容具を取り外しやすく収納且つ保管することができ極めて良好な保存状態にすることができ、上記課題を解決したものである。
【０００８】
【作用】
まず、図４（Ｂ）に示すように、豊胸用美容具１２を収納本体Ａに設けた膨出支持部Ａ1 の球面部４表面を覆うようにして載置固定する。前記膨出支持部Ａ1 の球面部４には、支持手段５が具備され、膨出支持部Ａ1 と豊胸用美容具１２との間において、図５（Ｂ），（Ｃ）に示すように、一部が非接触となる非接触領域ｓを構成し、且つその非接触領域ｓに空気の流れが自由に行われるように、通気性を有する構造としている。
【０００９】
これによって膨出支持部Ａ1 と豊胸用美容具１２とは全面的に密着するものではなく、一部に非接触領域ｓが構成され、さらにその非接触領域ｓに空気の流通が行われ、長期に亘って保管した場合に豊胸用美容具１２が膨出支持部Ａ1 に強固に密着状態で付着し、取り外しにくくなる状態を防止することができる。さらに、図１０（Ａ）に示すように、本発明のケースの収納本体Ａと蓋体Ｂにはそれぞれ貫通孔６が形成され、ケース内の空気流通を良好にして、適度の湿度を提供する。また、図１０（Ｂ）に示すように、過剰に溜まった水分は、本発明のケースを左右に振って、前記貫通孔６から排出することができる。
【００１０】
【発明の実施の形態】
以下、本発明の実施形態を図面に基づいて説明する。本発明の構成は主に、図１乃至図３等に示すように、収納本体Ａと、蓋体Ｂとからなり、これらは、合成樹脂から形成されている。しかし、必ずしも合成樹脂から形成されたものでなく、可能ならば金属，木又は硬質な紙等から形成されることもある。その収納本体Ａは、図１（Ａ），（Ｂ）に示すように、ほぼ直方体の箱形状に形成されており、底面部１及びその４辺に形成される周壁部２，２，…とから構成される。
【００１１】
その底面部１には、図２，図３（Ａ）に示すように、二つの膨出支持部Ａ1 ，Ａ1 が適宜の間隔をおいて形成されている。それぞれの膨出支持部Ａ1 は、その上方がほぼ球面状に形成されたものであり、後述する豊胸用美容具１２を収納本体Ａ内に支持固定するものである。その膨出支持部Ａ1 は、図３，図５（Ａ）に示すように、円筒状部３と球面部４とから構成され、前記円筒状部３は底面部１からほぼ立上り状に形成され、その円筒状部３から球面部４が連続して形成されている。その円筒状部３の頂部箇所は、図３（Ａ），（Ｂ）に示すように、前記周壁部２，２，…の頂部より高い位置に設定されている。その球面部４は、図１（Ａ），図５（Ａ）に示すように、半球形状に形成されており、後述する豊胸用美容具１２の裏面側の形状に対応するものである。
【００１２】
二つの膨出支持部Ａ1 ，Ａ1 は、図２に示すように、前記収納本体Ａのほぼ長方形とした底面部１の左右両側に対称の位置となるように形成配置されたものである。この二つの膨出支持部Ａ1 ，Ａ1 は、図３（Ａ），（Ｂ）に示すように、収納本体Ａの成形とともに一体的に形成されるもので、本発明におけるケースの製造で、その金型に収納本体Ａ，膨出支持部Ａ1 ，Ａ1 及び蓋体Ｂ等の型が形成されている。したがって、底面部１の外面、すなわち収納本体Ａの外面側には膨出支持部Ａ1 の成形部による凹みが形成されることになる。
【００１３】
この膨出支持部Ａ1 による凹面を以下、膨出支持部Ａ1 の裏側凹み面と称することにする。この膨出支持部Ａ1 の裏側凹み面は、膨出支持部Ａ1 の収納本体Ａ内方側における形状をそのまま凹み形状としたものとなる。その二つの膨出支持部Ａ1 ，Ａ1 は、左右一対の豊胸用美容具１２，１２を収納したときに、図４（Ｂ）に示すように、その両豊胸用美容具１２，１２同士が相互に干渉することがない位置関係となっている。また、それぞれの膨出支持部Ａ1 ，Ａ1 の周囲は、豊胸用美容具１２が載置固定されるのに十分にな広さを有するとともに、あまり無駄又は過剰なスペースを設けないようにすることが好適である。
【００１４】
その膨出支持部Ａ1 の球面部４には、支持手段５が具備されている。該支持手段５は、膨出支持部Ａ1 に載置固定された豊胸用美容具１２と少なくともその一部が非接触となる非接触領域ｓを構成するとともに、その非接触領域ｓに空気の流通ができるように、通気性を与えるものである。これによって、前記膨出支持部Ａ1 と豊胸用美容具１２との間には、前記支持手段５を介して、非接触領域ｓを形成し、且つ該非接触領域ｓに空気が流入し、密着領域を少なくし、豊胸用美容具１２を膨出支持部Ａ1 から取り外しやすくするものである。上記非接触領域ｓは、前記膨出支持部Ａ1 と豊胸用美容具１２との間における一部分の非接触状態も含まれる。
【００１５】
この支持手段５には、以下に示すように複数の実施形態が存在する。その第１実施形態における支持手段５は、図５に示すように、前記膨出支持部Ａ1 の球面部４に通気孔５ａが形成されたものである。該通気孔５ａは、直径ほぼ１mm程度に穿孔されたものであるが、必要に応じてその直径は大小に僅かに変化させてもかまわない。該通気孔５ａは膨出支持部Ａ1 の頂部から裏側凹み面側に向かって貫通したものであり、該裏側凹み面側すなわち収納本体Ａの外部から空気が流通することができるようになっている〔図５（Ｃ）参照〕。
【００１６】
その通気孔５ａは、特に前記球面部４の頂部中心箇所に形成されることが好ましい〔図１（Ａ），図２，図５（Ａ）等参照〕。すなわち、通気孔５ａが球面部４の頂部中心箇所に形成されることで、球面部４の中心から周囲に空気を均等に供給することができ、膨出支持部Ａ1 と豊胸用美容具１２との密着部位を部分的に集中させることのないようにすることができ、豊胸用美容具１２を膨出支持部Ａ1 から取り外すときに相互に損傷を生じにくい状態にできるものである。
【００１７】
その支持手段５の第２実施形態は、図６に示すように、前記膨出支持部Ａ1 の球面部４に多数の通気孔５ａ，５ａ，…が形成されたものである。そなわち、球面部４における豊胸用美容具１２が被さるように支持固定された部位に多数の通気孔５ａ，５ａ，…が形成される。これによって、豊胸用美容具１２と球面部４との間には、より多くの空気の流入が可能となる。
【００１８】
その支持手段５の第３実施形態は、図７に示すように、前記膨出支持部Ａ1 の表面に多数の小突起５ｂ，５ｂ，…群が形成されたものである。その小突起５ｂ，５ｂ，…は、小半球状に形成され、各小突起５ｂの先端が先鋭又は鋭利でなく、滑らかに形成されている。これらの多数の小突起５ｂ，５ｂ，…群が、膨出支持部Ａ1 の球面部４に載置固定した豊胸用美容具１２との間に位置することになり、豊胸用美容具１２の裏面側と球面部４との間に非接触領域ｓを構成し、密着することなく、且つ空気の流入を可能としたものである。
【００１９】
支持手段５の第４実施形態としては、図８に示すように、前記膨出支持部Ａ1 の表面から線形状に隆起した小膨出条５ｃが形成されたものである。具体的には、球面部４にその小膨出条５ｃがほぼ線形筋状の膨らみとして形成されたものである。該小膨出条５ｃは、球面部４の頂部で交差するように平面より見て十字形状に形成されている。また、特に図示しないが、その小膨出条５ｃは、前記球面部４に対して螺旋状に形成されることもある。
【００２０】
前記小膨出条５ｃは、上述したように線状或いは筋状となって連続して連なる膨出状部であるが、その表面も第３実施形態にて述べたのと同様に、鋭利とならず、滑らかな表面となるように形成されている。この小膨出条５ｃは、前記膨出支持部Ａ1 の球面部４に載置固定した豊胸用美容具１２との間に位置し、豊胸用美容具１２の裏面側と球面部４との間に非接触領域ｓを構成し、密着することなく、空気の流入を可能としたものである。
【００２１】
次に、支持手段５の第５実施形態としては、図９に示すように、前記膨出支持部Ａ1 に溝条５ｄが形成されたものである。該溝条５ｄは、具体的には、球面部４箇所に形成されるが、前記豊胸用美容具１２が膨出支持部Ａ1 に載置固定された状態で、その溝条５ｄの一部が膨出支持部Ａ1 と豊胸用美容具１２との接触領域の外部に延出形成されている。そして、図９（Ｂ）に示すように、その接触領域の外部箇所の溝条５ｄから前記膨出支持部Ａ1 と豊胸用美容具１２との間に空気が流入する構造としている。
【００２２】
その溝条５ｄは、図９（Ａ）に示すように、前記球面部４に対して螺旋状に形成されたり、或いは特に図示しないが該球面部４の頂部で交差するように平面より見て十字形状に形成されている。また、膨出支持部Ａ1 と豊胸用美容具１２との接触領域の外部に延出する溝条５ｄの一部が形成される部位は、前記球面部４に限らず円筒状部３に及ぶこともある。
【００２３】
その収納本体Ａには、図１，図２等に示すように、前記収納本体Ａ又は蓋体Ｂの少なくともいずれか一方には、貫通孔６が形成されている。該貫通孔６は、特に収納本体Ａの４個の隅角部に穿孔されており、さらに底面部１の４つの角箇所に形成されることが好ましい。該貫通孔６は、図１０（Ａ）に示すように、ケース内部の空気の流通を行わせ、収納されている豊胸用美容具１２に適度の湿度を提供し、良好な保存状態を維持することができる。また、図１０（Ｂ）に示すように、収納本体Ａ内に過剰な水分が内部に溜まった場合に、その水分を排出する役目をなす。
【００２４】
また、前記収納本体Ａには、図１（Ａ），図２に示すように、二つの膨出支持部Ａ1 ，Ａ1 の間で，且つ前記底面部１といずれかの周壁部２との隅角箇所には、保持部７が具備（形成）されている。該保持部７は、ほぼ直方体又は立方体状の載置台７ａが形成されている。また、該載置台７ａの周囲には、柵状片７ｂ，７ｂ，…が形成され、該柵状片７ｂ，７ｂ，…により、図４（Ｂ）に示すように、薬品又は附属品等が入った小箱１３等の小物を固定することができる。また、前記保持部７としては、特に図示しないが、前記載置台７ａの上面に円筒形，立方体形の凹みが形成されることもあり、その凹み内に箱を装着するものである。
【００２５】
次に、蓋体Ｂは、図１乃至図３に示すように、被覆部８と蓋周壁部９，９，…とから構成されている。その蓋周壁部９，９，…による周囲と、前記収納本体Ａの周壁部２，２，…による周囲とはインロウタイプの構造にて接合する状態となる。また、図１，２に示すように、前記蓋体Ｂ側にも前記貫通孔６，６，…が形成されており、具体的には貫通孔６は被覆部８に形成されている。その蓋体Ｂは、前記収納本体Ａとヒンジ１０により開閉自在となっている。
【００２６】
該ヒンジ１０は、前記収納本体Ａと蓋体Ｂとともに、一体成形されるものである。さらに、収納本体Ａと蓋体Ｂとの間にロック部１１が形成されている。該ロック部１１は、係止片１１ａと被係止片１１ｂとからなり、前記蓋体Ｂ側に係止片１１ａが形成され、蓋体Ｂを収納本体Ａに閉じた状態で前記係止片１１ａが被係止片１１ｂに係止することができる。
【００２７】
豊胸用美容具１２は、身体のバストの形状のように碗形状に形成されたものであって、人造ゴム，シリコン等の素材から形成されており、バストに被せるようにして使用するものである。その豊胸用美容具１２の裏面側は、碗形状或いは凹み球面形状に形成されており、吸盤としての役目をなし、きわめて密着性のある面に形成され、人体に密着し易い構造となっている。
【００２８】
【発明の効果】
請求項１の発明は、ほぼ碗形状で柔軟な合成樹脂性の豊胸用美容具１２を支持する球面状の膨出支持部Ａ1 ，Ａ1 が形成された収納本体Ａと、該収納本体Ａに対して開閉自在とした蓋体Ｂとからなり、前記膨出支持部Ａ1 ，Ａ1 には、前記豊胸用美容具１２と、一部が非接触且つ通気性を有する支持手段５が具備されてなる豊胸用美容具収納ケースとしたことにより、まず第１に収納する豊胸用美容具１２の型崩れを防止することができるし、第２に収納本体Ａの膨出支持部Ａ1 から豊胸用美容具１２を取り外しやすくすることができるし、第３に豊胸用美容具１２を極めて良好な保存状態にすることができる等の効果を奏する。
【００２９】
上記効果を詳述すると、膨出支持部Ａ1 は、球面状に形成されたものであり、裏面が碗状に形成された豊胸用美容具１２を載置固定するのに極めて好適であり、よって、豊胸用美容具１２の型崩れを防止することができる。また、膨出支持部Ａ1 と該膨出支持部Ａ1 に載置された豊胸用美容具１２との間に非接触且つ通気性を有する支持手段５が膨出支持部Ａ1 に具備されているので、豊胸用美容具１２は膨出支持部Ａ1 との間に非接触領域ｓが設けられ、密着領域を少なくし、さらにその非接触領域ｓに空気を流入させることができ、豊胸用美容具１２を膨出支持部Ａ1 から取り外しやすいものにできる。
【００３０】
また、豊胸用美容具１２の裏面側にも支持手段５から空気とともに空気中の水分を送り込むことができるので、豊胸用美容具１２の裏面側にも適当な空気と湿度とを提供することができ、豊胸用美容具１２を極めて良好な状態で収納，保管することができるものである。また、本発明では、収納本体Ａと蓋体Ｂとが一体的になっているので、豊胸用美容具１２の長期保存ができるものである。
【００３１】
請求項２の発明は、請求項１において、前記支持手段５は前記膨出支持部Ａ1 に通気孔５ａが形成されてなる豊胸用美容具収納ケースとしたことにより、極めて簡単な構造により、膨出支持部Ａ1 と豊胸用美容具１２との間に非接触領域ｓを構成することがでる。すなわち、前記膨出支持部Ａ1 に貫通孔として通気孔５ａを形成するのみで最も簡単な構造とした支持手段５を構成することができるものである。
【００３２】
請求項３の発明は、請求項２において、前記通気孔５ａは膨出支持部Ａ1 の頂部に形成されてなる豊胸用美容具収納ケースとしたことにより、その通気孔５ａから空気を均等に供給することができる。すなわち、通気孔５ａが球面部４の頂部中心箇所に形成されることで、球面部４の中心から周囲に空気を均等に供給することができ、膨出支持部Ａ1 と豊胸用美容具１２との密着部位を部分的に集中させることのないようにすることができる。そのために、豊胸用美容具１２を膨出支持部Ａ1 から取り外すときに相互に損傷を生じにくいものにできる。
【００３３】
請求項４の発明は、請求項２において、前記通気孔５ａは膨出支持部Ａ1 に多数形成されてなる豊胸用美容具収納ケースとしたことにより、膨出支持部Ａ1 に載置固定された豊胸用美容具１２に対してより多くの空気を供給し、また膨出支持部Ａ1 と豊胸用美容具１２との非接触領域ｓを増加させることができる。
【００３４】
請求項５の発明は、請求項１において、前記支持手段５は前記膨出支持部Ａ1 の表面に多数の小突起５ｂ，５ｂ，…群が形成されてなる豊胸用美容具収納ケースとしたことにより、膨出支持部Ａ1 と豊胸用美容具１２との非接触領域ｓをより一層大きくすることができる。すなわち、多数の小突起５ｂ，５ｂ，…群により、豊胸用美容具１２の裏面側は、膨出支持部Ａ1 の球面部４表面より浮き上がらせられる状態とすることができ、豊胸用美容具１２と小突起５ｂ，５ｂ，…との接触状態はほぼ点接触状態であるため、最も広い範囲の非接触領域ｓを構成することができ、豊胸用美容具１２を膨出支持部Ａ1 から最も取り出しやすいものにできる。
【００３５】
請求項６の発明は、請求項１において、前記支持手段５は前記膨出支持部Ａ1 の表面に線形状に隆起した小膨出条５ｃが形成されてなる豊胸用美容具収納ケースとしたことにより、支持手段５の形状が最も簡単なものにできる。また、小膨出条５ｃは、線形状に連続するものであり、豊胸用美容具１２の裏面側に対して線接触状態となり、膨出支持部Ａ1 と豊胸用美容具１２との接触箇所における接触圧は小膨出条５ｃの線方向に適当に分散され、豊胸用美容具１２の裏面側に対して良好な保護状態にすることができる。
【００３６】
請求項７の発明は、請求項１において、前記支持手段５は前記膨出支持部Ａ1 の表面に溝条５ｄが形成され、且つ該溝条５ｄは前記豊胸用美容具１２の膨出支持部Ａ1 における接触領域の外部に延出されてなる豊胸用美容具収納ケースとしたことにより、その支持手段５は、前記膨出支持部Ａ1 に収納本体Ａの外部と貫通する孔が穿孔されて非接触及び通気性を得るタイプではなく、溝条５ｄを介して前記膨出支持部Ａ1 に載置固定された豊胸用美容具１２の裏面側に空気を流通させるものである。それゆえに、溝条５ｄの全体に亘って、空気が流通可能となるので、豊胸用美容具１２には、比較的多量な空気が流通でき、豊胸用美容具１２を良好な状態で収納，保管することができる。
【００３７】
請求項８の発明は、請求項１，２，３，４，５，６又は７において、前記収納本体Ａ又は蓋体Ｂの少なくともいずれか一方には、貫通孔６が形成されてなる豊胸用美容具収納ケースとしたことにより、収納本体Ａに蓋体Ｂを閉じた状態で、ケース内へ空気を流通させることができるとともに、ケース内に溜まった水分を簡単に排出することができる。
【００３８】
請求項９の発明は、請求項１，２，３，４，５，６，７又は８において、前記収納本体Ａには、小物を固定する保持部７が具備されてなる豊胸用美容具収納ケースとしたことにより、豊胸用美容具１２とともに、化粧品の小箱１３、附属部品等の小物を安定した状態で収納することができるものであり、本発明のケースの利用性を極めて良好にしている。
【図面の簡単な説明】
【図１】（Ａ）は本発明における蓋体が開いた状態の一部切除した斜視図
（Ｂ）は本発明における蓋体が閉じた状態の斜視図
【図２】本発明における蓋体を全開状態とした平面図
【図３】（Ａ）は本発明の膨出支持部の中心箇所における縦断正面図
（Ｂ）は（Ａ）のＸ−Ｘ矢視断面図
【図４】（Ａ）は蓋体の開いた状態の平面斜視図
（Ｂ）は（Ａ）において豊胸用美容具及び小物を所定位置に収納した状態の平面斜視図
【図５】（Ａ）は膨出支持部の一部切除した斜視図
（Ｂ）は膨出支持部に豊胸用美容具を載置固定した断面図
（Ｃ）は（Ｂ）の要部拡大図
【図６】（Ａ）は支持手段の第１実施形態の変形例を示す斜視図
（Ｂ）は（Ａ）の膨出支持部に豊胸用美容具を載置固定した縦断正面図
【図７】（Ａ）は支持手段の第２実施形態の斜視図
（Ｂ）は（Ａ）における膨出支持部に豊胸用美容具を載置固定した縦断正面図
【図８】（Ａ）は支持手段の第３実施形態の斜視図
（Ｂ）は（Ａ）における膨出支持部に豊胸用美容具を載置固定した周方向における縦断平面図
【図９】（Ａ）は支持手段の第４実施形態の斜視図
（Ｂ）は（Ａ）の膨出支持部に豊胸用美容具を載置固定した一部断面とした正面図
【図１０】（Ａ）は本発明において貫通孔を介して空気が収納本体内に流通する状態を示す縦断側面図断面図
（Ｂ）は本発明において貫通孔から収納本体に溜まった水分を排出する状態を示す縦断側面図
【符号の説明】
Ａ…収納本体
Ａ1 …膨出支持部
Ｂ…蓋体
５…支持手段
５ａ…通気孔
５ｂ…小突起
５ｃ…小膨出条
５ｄ…溝条
７…保持部
１２…豊胸用美容具
【図１】
2004208736.tif 000003
【図２】
2004208736.tif 000004
【図３】
2004208736.tif 000005
【図４】
2004208736.tif 000006
【図５】
2004208736.tif 000007
【図６】
2004208736.tif 000008
【図７】
2004208736.tif 000009
【図８】
2004208736.tif 000010
【図９】
2004208736.tif 000011
【図１０】
2004208736.tif 000012